(57)【要約】【課題】光を拡散する光学シートを、光源を支持するシャーシに固定するために必要な時間を短縮し、また部品数を減少させて製造費用の削減を図ることができる表示装置を提供する。【解決手段】リブ８、８、・・・、８を、蛍光管５を支持するバックライトシャーシ６の縁部分に設けてあるシート支持面部６ｃ、６ｃと一体に設け、リブ８、８、・・・、８に設けてある凹部８ａ、８ａ、・・・、８ａにて光学シート７を係合し、光学シート７をバックライトシャーシ６に固定する構成とした。【選択図】図２
2009211933.tif 000002
【特許請求の範囲】
【請求項１】
光源を支持するシャーシと、該シャーシに保持されており、光源から照射された光を拡散する光学シートと、該光学シートを透過した光により映像を表示する表示パネルとを備える表示装置において、
前記シャーシと一体に設けてあり、前記光学シートを係止するリブを備えることを特徴とする表示装置。
【請求項２】
前記リブは、前記光学シートの縁部分を係合する凹部を備えることを特徴とする請求項１に記載の表示装置。
【請求項３】
前記シャーシの正面に前記リブは突設してあり、前記リブの中央部から前記シャーシの正面に至るまで前記凹部を形成してあることを特徴とする請求項２に記載の表示装置。
【請求項４】
前記凹部に隣接しており、前記光学シートを前記凹部に案内する案内面を前記リブに設けてあることを特徴とする請求項２又は３に記載の表示装置。
【請求項５】
前記リブを複数備え、
前記シャーシは箱形になっており、
前記シャーシの互いに対向する二つの縁部分に前記リブをそれぞれ設けてあることを特徴とする請求項１から４のいずれか一つに記載の表示装置。
【請求項６】
前記シャーシ及びリブを樹脂成形してあることを特徴とする請求項１から５のいずれか一つに記載の表示装置。
【請求項７】
前記シャーシ及びリブを板金加工により成形してあることを特徴とする請求項１から５のいずれか一つに記載の表示装置。
【発明の詳細な説明】
【技術分野】
【０００１】
本発明は少数の部品で組み立てることができる表示装置に関する。
【背景技術】
【０００２】
従来の表示装置は、光源を支持するバックライトシャーシの正面に、前記光源から照射された光を拡散する光学シートを配置し、光学シートの脱落を防止するために、光学シートの縁部分に固定具を設け、該固定具と前記バックライトシャーシとをビスにより連結し、前記固定具と、前記バックライトシャーシとの間で前記光学シートを固定して、前記バックライトシャーシ及び光学シートを一つのユニットにしていた。また映像を表示する表示パネルの正面にベゼルを配置し、表示パネルの背面に枠状のフレームを配置して、該ベゼル及びフレームの間で前記表示パネルを狭圧固定して、前記ベゼル、表示パネル及びフレームを一つのユニットにして、前記二つのユニットを連結していた（特許文献１参照）。
【特許文献１】特開２００７−１１４５９０号公報
【発明の開示】
【発明が解決しようとする課題】
【０００３】
特許文献１に記載の表示装置にあっては、固定具を前記バックライトシャーシにビス止めするために長時間を費やしており、また固定具及びビスの使用により部品数は増加し、製造費用が嵩む。
【０００４】
本発明は斯かる事情に鑑みてなされたものであり、光学シートを係止するリブを、光源を支持するシャーシと一体に設けることにより、固定具を使用することなくリブにて光学シートを係止させて、光学シートをシャーシに固定するために必要な時間を短縮し、また部品数を減少させて製造費用の削減を図ることができる表示装置を提供することを目的とする。
【課題を解決するための手段】
【０００５】
本発明に係る表示装置は、光源を支持するシャーシと、該シャーシに保持されており、光源から照射された光を拡散する光学シートと、該光学シートを透過した光により映像を表示する表示パネルとを備える表示装置において、前記シャーシと一体に設けてあり、前記光学シートを係止するリブを備えることを特徴とする。
【０００６】
本発明においては、光学シートを係止するリブを前記シャーシと一体に設けることにより、固定具を使用することなくリブにて光学シートを係止させる。
【０００７】
本発明に係る表示装置は、前記リブは前記光学シートの縁部分を係合する凹部を備えることを特徴とする。
【０００８】
本発明においては、リブに凹部を設けることにより、光学シートの縁部分を凹部に係合して光学シートを安定に保持する。
【０００９】
本発明に係る表示装置は、前記シャーシの正面に前記リブは突設してあり、前記リブの中央部から前記シャーシの正面に至るまで前記凹部を形成してあることを特徴とする。
【００１０】
本発明においては、前記シャーシの正面に突設してあるリブの中央部からシャーシの正面に至るまで凹部を形成することにより、光学シートの縁部分を凹部に係合して、光学シートをシャーシの正面にて支持する。
【００１１】
本発明に係る表示装置は、前記凹部に隣接しており、前記光学シートを前記凹部に案内する案内面を前記リブに設けてあることを特徴とする。
【００１２】
本発明においては、案内面を前記リブに隣接して設けることにより、光学シートをリブに取り付ける場合に、光学シートを案内面に沿って案内し、凹部に係合させる。
【００１３】
本発明に係る表示装置は、前記リブを複数備え、前記シャーシは箱形になっており、前記シャーシの互いに対向する二つの縁部分に前記リブをそれぞれ設けてあることを特徴とする。
【００１４】
本発明においては、箱形のシャーシの対向する二つの縁部分に前記リブをそれぞれ設けることにより、両側から光学シートを係止して、光学シートを安定させる。
【００１５】
本発明に係る表示装置は、前記シャーシ及びリブを樹脂成形してあることを特徴とする。
【００１６】
本発明においては、樹脂成形により、前記シャーシ及びリブを一体的に成形し、リブを撓ませる。
【００１７】
本発明に係る表示装置は、前記シャーシ及びリブを板金加工により成形してあることを特徴とする。
【００１８】
本発明においては、板金加工により、前記シャーシ及びリブを一体的に成形し、リブの強度を向上させる。
【発明の効果】
【００１９】
本発明に係る表示装置にあっては、光学シートを係止するリブを前記シャーシと一体に設けることにより、固定具を使用することなくリブにて光学シートを係止させて、光学シートをシャーシに固定するために必要な時間を短縮し、また部品数を減少させて製造費用の削減を図ることができる。
【００２０】
またリブに凹部を設けることにより、光学シートの縁部分を凹部に係合して光学シートを安定に保持し、光学シートの脱落を防止することができる。
【００２１】
また前記シャーシの正面に突設してあるリブの中央部からシャーシの正面に至るまで凹部を形成することにより、光学シートの縁部分を凹部に係合して、光学シートをシャーシの正面にて支持し、光学シートを安定に保持して、光学シートの脱落を防止することができる。
【００２２】
また案内面を前記リブに隣接して設けることにより、光学シートをリブに取り付ける場合に、光学シートを案内面に沿って案内し、凹部に係合させて、光学シートの取り付けを迅速に行うことができる。
【００２３】
また箱形のシャーシの対向する二つの縁部分に複数のリブをそれぞれ設けることにより、両側から光学シートを係止して、光学シートを安定させて、光学シートの脱落を確実に防止することができる。
【００２４】
また前記シャーシ及びリブを一体的に樹脂成形することにより、リブに大きな可撓性を持たせて、光学シートをシャーシへ取り付ける場合に、リブを撓ませて、光学シートの縁部分を容易にリブに係止させることができる。
【００２５】
また前記シャーシ及びリブを板金加工にて一体的に成形することにより、リブの強度を向上させて、前記シャーシの取扱いにおいて前記リブに物体が衝突した場合でも、リブの破損を回避することができる。
【発明を実施するための最良の形態】
【００２６】
（実施の形態１）
以下本発明を実施の形態１に係る表示装置を示す図面に基づいて詳述する。図１は表示装置を示す模式的外観斜視図、図２は図１におけるＩＩ−ＩＩ線での略示部分側面断面図、図３はリヤキャビネットの記載を省略した図１におけるＩＩＩ−ＩＩＩ線での略示部分側面断面図、図４はリブ付近の構成を示す模式的斜視図、図５は図１におけるＶ−Ｖ線での略示部分側面断面図、図６は光学シートのリブへの取り付けを示す模式的側面断面図、図７は表示装置の変形例を示す模式的斜視図である。
【００２７】
図において１は正面に開口を有する矩形枠状のフロントキャビネットであり、該フロントキャビネット１の背面側に、液晶を用いて映像を表示する矩形の表示パネル２を配置してある。該表示パネル２の背面側にリヤキャビネット１１を設けてあり、該リヤキャビネット１１及びフロントキャビネット１により表示パネル２を収容してある。前記表示パネル２を支持する横長の二つの支持桿３、３が、表示パネル２の背面上下側部に沿ってそれぞれ配置してあり、前記フロントキャビネット１と、前記表示パネル２の正面上下側部との間及び前記表示パネル２の背面上下側部と、前記支持桿３、３との間には四つの弾性部材４、４、・・・、４がそれぞれ設けてある。また前記支持桿３、３の背面に後述するリブ８、８、・・・８の先端部を係合する係合孔部３ａ、３ａ、・・・、３ａがそれぞれ設けてある。
【００２８】
図３に示す如く、前記表示パネル２の上方にて、前記フロントキャビネット１の正面にビスＳ１を挿通する挿通孔１ｂが設けてあり、該挿通孔１ｂに対応する有底円筒状のボス３ｂが前記支持桿３の正面に設けてある。前記ボス３ｂの内側にはねじ溝を形成してある。ビスＳ１を前記挿通孔１ｂに挿通し、前記ボス３ｂに螺合して、前記表示パネル２を前記フロントキャビネット１及び支持桿３の間で前記弾性部材４、４を介して挟持してある。なお前記表示パネル２の下方においても前記表示パネル２を同様の構成にて挟持してあり、前記フロントキャビネット１、表示パネル２及び支持桿３、３は一つのユニットになっている。また図２に示す如く、前記フロントキャビネット１の上下側部には後述する係止凹部１１ａ、１１ａに係止する二つの係止爪部１ａ、１ａがそれぞれ設けてある。
【００２９】
前記支持桿３、３の背面側に、複数の蛍光管５、５、・・・、５を支持しており、射出成形された矩形箱状のバックライトシャーシ６が設けてある。該バックライトシャーシ６は、前記表示パネル２に対向しており、図示しないランプクリップを介して蛍光管５、５、・・・、５を正面に支持する矩形の支持板部６ａと、該支持板部６ａの上下側部にそれぞれ連なり、奥行寸法に対して左右寸法の長い正面側に延出した二つの側面部６ｂ、６ｂと、二つの該側面部６ｂ、６ｂの延出端部から上下方向にそれぞれ延出しており、上下寸法に対して左右寸法の長い板状の二つのシート支持面部６ｃ、６ｃとを備える。該シート支持面部６ｃ、６ｃは支持板部６ａに対し平行になっており、その正面にて、蛍光管５、５、・・・、５から照射された光を拡散する光学シート７を支持している。該光学シート７を透過した光により、前記表示パネル２に映像を表示するようにしてある。
【００３０】
前記シート支持面部６ｃ、６ｃの縁部に沿って、正面方向に突出した板状の複数のリブ８、８、・・・８が左右方向に並設してある。該リブ８、８、・・・８の奥行寸法は前記光学シート７の厚さの略二倍であり、リブ８、８、・・・８の左右寸法は奥行寸法の略二倍である。また前記リブ８、８、・・・８はスライド成形にて成形してあり、前記シート支持面部６ｃ、６ｃと一体になっている。
【００３１】
前記光学シート７の上縁部又は下縁部を係合しており、前記リブ８の中央部から前記シート支持面部６ｃに至る側面視Ｌ形の凹部８ａ、８ａ、・・・、８ａが、前記リブ８、８、・・・８にそれぞれ設けてある。また該凹部８ａ、８ａ、・・・、８ａに隣接しており、正面に向かうにつれてリブ８、８、・・・８の延出端部の上下寸法を短くするように傾斜した案内面８ｂ、８ｂ、・・・、８ｂが前記リブ８、８、・・・８の延出端部にそれぞれ形成してある。該案内面８ｂ、８ｂ、・・・、８ｂは前記光学シート７を案内し、案内された光学シート７は前記凹部８ａ、８ａ、・・・、８ａに係合する。
【００３２】
前記バックライトシャーシ６には、図５に示す如く、ビスＳ２を挿通する挿通孔６ｄが設けてあり、該挿通孔６ｄに対応しており、正面側に窪んだ有底円筒状のボス部１ｄが前記フロントキャビネット１の背面に設けてある。該ボス部１ｄの内側にはねじ溝を形成してあり、ビスＳ２を前記挿通孔６ｄに挿通し、前記ボス部１ｄに螺合させて、前記バックライトシャーシ６と前記フロントキャビネット１とを連結してある。また前記バックライトシャーシ６の前記挿通孔６ｄから離隔した位置に、貫通した円筒ボス６ｅが設けてあり、該円筒ボス６ｅの内側にはねじ溝を形成してある。前記円筒ボス６ｅに対応する貫通孔１１ｅが前記リヤキャビネット１１に設けてあり、該貫通孔１１ｅにビスＳ３を挿入し、前記円筒ボス６ｅに螺合して、前記リヤキャビネット１１と、フロントキャビネット１とを連結してある。なお図２に示す如く、前記係止爪部１ａ、１ａに対応する二つの係止凹部１１ａ、１１ａが前記リヤキャビネット１１の上下側部に設けてある。
【００３３】
次に表示装置の組立について説明する。上側のシート支持面部６ｃに設けてあるリブ８、８、・・・、８と、下側のシート支持面部６ｃに設けてあるリブ８、８、・・・、８との間隔が拡がるように、図６（ａ）の矢印にて示す如く、各リブ８、８、・・・、８に荷重を与えてリブ８、８、・・・、８を撓ませる。そして光学シート７の上縁部及び下縁部を前記案内面８ｂ、８ｂ、・・・、８ｂに沿わせて、図６（ｂ）の白抜矢符にて示す如く、前記光学シート７をバックライトシャーシ６に接近させる。そして前記光学シート７を前記シート支持面部６ｃ、６ｃに載置し、前記リブ８、８、・・・、８への荷重を解除する。該解除により、前記リブ８、８、・・・、８は弾性力により復元し、図６（ｃ）に示す如く、前記凹部８ａ、８ａ、・・・、８ａに光学シート７の上縁部及び下縁部は係合する。
【００３４】
次に、前記光学シート７を取り付けてあるバックライトシャーシ６を、前記フロントキャビネット１、表示パネル２及び支持桿３、３からなる前記ユニットの背面側に配置し、前記ビスＳ２を前記ボス部１ｄに螺合して、前記バックライトシャーシ６を前記フロントキャビネット１に連結する。このとき前記リブ８、８、・・・、８の先端部は前記係合孔部３ａ、３ａ、・・・、３ａに係合する。そして前記バックライトシャーシ６の背面側に前記リヤキャビネット１１を配置し、前記ビスＳ３を前記円筒ボス６ｅに螺合して前記リヤキャビネット１１と、前記バックライトシャーシ６とを連結する。このとき前記係止爪部１ａ、１ａは前記係止凹部１１ａ、１１ａに係止し、前記フロントキャビネット１及びリヤキャビネット１１は固定される。
【００３５】
実施の形態１に係る表示装置にあっては、光学シート７を係止するリブ８、８、・・・、８をバックライトシャーシ６と一体に設けることにより、固定具を使用することなくリブ８、８、・・・、８にて光学シート７を係止させて、光学シート７をバックライトシャーシ６に固定するために必要な時間を短縮し、また部品数を減少させて製造費用の削減を図ることができる。
【００３６】
またリブ８、８、・・・、８に凹部８ａ、８ａ、・・・、８ａを設けることにより、光学シート７の縁部分を凹部８ａ、８ａ、・・・、８ａに係合して光学シート７を安定に保持し、光学シート７の脱落を防止する。
【００３７】
またリブ８、８、・・・、８の中央部から前記シート支持面部６ｃ、６ｃの正面に至るまで凹部を形成することにより、光学シート７の縁部分を凹部８ａ、８ａ、・・・、８ａに係合して、光学シート７をバックライトシャーシ６の正面にて支持し、光学シート７を安定に保持して、光学シート７の脱落を防止することができる。
【００３８】
また案内面８ｂを前記リブ８、８、・・・、８に隣接して設けることにより、光学シート７をリブ８、８、・・・、８に取り付ける場合に、光学シート７を案内面８ｂに沿って案内し、凹部８ａ、８ａ、・・・、８ａに係合させて、光学シート７の取り付けを迅速に行うことができる。
【００３９】
また箱形のバックライトシャーシ６の対向する二つの縁部分に複数のリブ８、８、・・・、８をそれぞれ設けることにより、両側から光学シート７を係止して、光学シート７を安定させて、光学シート７の脱落を確実に防止する。
【００４０】
また前記バックライトシャーシ６及びリブ８、８、・・・、８を一体的に樹脂成形することにより、リブ８、８、・・・、８に大きな可撓性を持たせて、光学シート７をバックライトシャーシ６へ取り付ける場合に、リブ８、８、・・・、８を撓ませて、光学シート７の縁部分を容易にリブ８、８、・・・、８に係止させることができる。
【００４１】
なお二つのシート支持面部６ｃ、６ｃに二つのリブ８、８をそれぞれ設ける構成にしても良く、一方のシート支持面部６ｃに一つのリブ８を設け、他方のシート支持面部６ｃに複数のリブ８、８、・・・、８を設ける構成にしても良い。また凹部８ａは側面視コの字形に成形してあっても良い。また図７に示す如く、リブ８、８、・・・、８を前記シート支持面部６ｃ、６ｃの縁部に沿ってレール状に成形しても良い。
【００４２】
（実施の形態２）
以下本発明を実施の形態２に係る図面に基づいて詳述する。図８はリブ付近の構成を示す模式的斜視図、図９は光学シートのリブへの取り付けを示す模式的側面断面図である。
【００４３】
前記支持桿３、３の背面側に、複数の蛍光管５、５、・・・、５を支持する矩形箱状のバックライトシャーシ１６が設けてある。該バックライトシャーシ１６は金属で構成されており、板金加工により形成してある。該バックライトシャーシ１６は前記表示パネル２に対向しており、図示しないランプクリップを介して蛍光管５、５、・・・、５を正面に支持する矩形の支持板部１６ａと、該支持板部１６ａの上下側部にそれぞれ連なり、奥行寸法に対して左右寸法の長い正面側に延出した二つの側面部１６ｂ、１６ｂと、二つの該側面部１６ｂ、１６ｂの延出端部から上下方向にそれぞれ延出しており、上下寸法に対して左右寸法の長い板状の二つのシート支持面部１６ｃ、１６ｃとを備える。
【００４４】
図８に示す如く、前記シート支持面部１６ｃ、１６ｃ及び側面部１６ｂ、１６ｂに亘ってシート支持面部１６ｃ、１６ｃ及び側面部１６ｂ、１６ｂの一部を切り起こして、前記シート支持面部１６ｃ、１６ｃから正面方向に突出した側面視Ｌ状の複数のリブ１８、１８、・・・、１８が左右方向に並設してある。該リブ１８、１８、・・・、１８の内側には、前記光学シート７の縁部分を係合するＬ状の凹部１８ａ、１８ａ、・・・、１８ａが形成してある。前記リブ１８、１８、・・・、１８の先端部分は正面側に屈曲し、シート支持面部１６ｃ、１６ｃに対し傾斜しており、該先端部分のシート支持面部１６ｃ、１６ｃに対向する面は光学シート７の上縁部及び下縁部を凹部１８ａ、１８ａ、・・・、１８ａに案内する案内面１８ｂ、１８ｂ、・・・、１８ｂになっている。
【００４５】
次にバックライトシャーシ１６への光学シート７の取り付けについて説明する。図９（ａ）に示す如く、正面が張り出すように光学シート７を湾曲させて、前記光学シート７の上縁部及び下縁部を案内面１８ｂ、１８ｂ、・・・、１８ｂに当接させる。そして光学シート７の上縁部及び下縁部を案内面１８ｂ、１８ｂ、・・・、１８ｂに沿わせて、図９（ｂ）の白抜矢符にて示す如く、光学シート７をバックライトシャーシ１６に接近させ、前記凹部１８ａ、１８ａ、・・・、１８ａに係合させる。
【００４６】
実施の形態２に係る表示装置にあっては、バックライトシャーシ１６及びリブ１８、１８、・・・、１８を板金加工にて一体的に成形することにより、リブ１８、１８、・・・、１８の強度を向上させて、前記バックライトシャーシ１６の取扱いにおいて前記リブ１８、１８、・・・、１８に物体が衝突した場合でも、リブ１８、１８、・・・、１８の破損を回避することができる。
【００４７】
実施の形態２に係る表示装置の構成の内、実施の形態１と同様な構成については同じ符号を付しその詳細な説明を省略する。
【図面の簡単な説明】
【００４８】
【図１】実施の形態１に係る表示装置を示す模式的外観斜視図である。
【図２】図１におけるＩＩ−ＩＩ線での略示部分側面断面図である。
【図３】リヤキャビネットの記載を省略した図１におけるＩＩＩ−ＩＩＩ線での略示部分側面断面図である。
【図４】実施の形態１に係る表示装置のリブ付近の構成を示す模式的斜視図である。
【図５】図１におけるＶ−Ｖ線での略示部分側面断面図である。
【図６】実施の形態１に係る表示装置の光学シートのリブへの取り付けを示す模式的側面断面図である。
【図７】実施の形態１に係る表示装置の変形例を示す模式的斜視図である。
【図８】実施の形態２に係る表示装置のリブ付近の構成を示す模式的斜視図である。
【図９】実施の形態２に係る表示装置の光学シートのリブへの取り付けを示す模式的側面断面図である。
【符号の説明】
【００４９】
１  フロントキャビネット
２  表示パネル
５  蛍光管（光源）
６、１６  バックライトシャーシ（シャーシ）
６ｃ  シート支持面部
７  光学シート
８、１８  リブ
８ａ、１８ａ  凹部
８ｂ、１８ｂ  案内面
１１  リヤキャビネット
【図１】
2009211933.tif 000003
【図２】
2009211933.tif 000004
【図３】
2009211933.tif 000005
【図４】
2009211933.tif 000006
【図５】
2009211933.tif 000007
【図６】
2009211933.tif 000008
【図７】
2009211933.tif 000009
【図８】
2009211933.tif 000010
【図９】
2009211933.tif 000011